(57)【要約】【課題】無線通信システムのチャネル状態情報を測定する方法および装置を提供する。【解決手段】無線通信システムのチャネル状態情報を測定する方法であって、前記方法は、セカンダリセル（ＳＣｅｌｌ）にあるチャネル状態情報（ＣＳＩ）報告の参照リソースとなる、プライマリセル（ＰＣｅｌｌ）にあるダウンリンク（ＤＬ）サブフレームまたはダウンリンク部分がしきい値以上の特定のサブフレームでないサブフレームを選ぶステップ、および前記ＣＳＩ報告の処理を実行するステップを更に含む方法。【選択図】図１
2014143685.tif 000002
【特許請求の範囲】
【請求項１】
無線通信システムのチャネル状態情報を測定する方法であって、前記方法は、
セカンダリセル（ＳＣｅｌｌ）にあるチャネル状態情報（ＣＳＩ）報告の参照リソースとなる、プライマリセル（ＰＣｅｌｌ）にあるダウンリンク（ＤＬ）サブフレームまたはダウンリンク部分がしきい値以上の特定のサブフレームでないサブフレームを選ぶステップ、および
前記ＣＳＩ報告の処理を実行するステップを更に含む方法。
【請求項２】
前記処理は、参照リソースとなる第２のサブフレームを選ぶ請求項１に記載の方法。
【請求項３】
無線通信システムのチャネル状態情報を測定する方法であって、前記方法は、
キャリアアグリゲーションを構成するステップ、および
プライマリセル（ＰＣｅｌｌ）にあるアップリンク（ＵＬ）サブフレームまたはダウンリンク部分がしきい値以下の特定のサブフレームである場合、ユーザー端末（ＵＥ）によって、セカンダリセル（ＳＣｅｌｌ）にあるサブフレームがチャネル状態情報（ＣＳＩ）報告の有効なダウンリンクサブフレームとしてみなされないことを判断するステップを含む方法。
【請求項４】
前記ダウンリンクサブフレームがプライマリセル（ＰＣｅｌｌ）にあるＤＬサブフレームまたはダウンリンク部分がしきい値以上の特定のサブフレームである場合、ＵＥによって、セカンダリセル（ＳＣｅｌｌ）にあるダウンリンクサブフレームがチャネル状態情報（ＣＳＩ）報告の有効なダウンリンクサブフレームであることができることを判断するステップを更に含む請求項３に記載の方法。
【請求項５】
前記ＵＥは、全ての他の有効なダウンリンクサブフレームの状態が満たされる場合、前記ダウンリンクサブフレームを有効なダウンリンクサブフレームとみなす請求項４に記載の方法。
【請求項６】
少なくとも２つの集約されたキャリアは、異なるＵＬ−ＤＬ構成を有する請求項３に記載の方法。
【請求項７】
前記ＵＥは、同時に送受信できない請求項３に記載の方法。
【請求項８】
前記ＵＥは、他の前のサブフレームを有効なダウンリンクサブフレームとしてみなす請求項３に記載の方法。
【請求項９】
ＣＳＩ報告に用いる参照リソースは、前記ダウンリンクサブフレームの前のもう１つのサブフレームにある請求項３に記載の方法。
【請求項１０】
無線通信システムのチャネル状態情報（ＣＳＩ）を測定する方法であって、前記方法は、
キャリアアグリゲーションを構成するステップ、および
前記第２のサブフレームがプライマリセル（ＰＣｅｌｌ）にあるアップリンク（ＵＬ）サブフレームまたはダウンリンク部分がしきい値以下の特定のサブフレームである場合、ユーザー端末（ＵＥ）によって、セカンダリセル（ＳＣｅｌｌ）にある第２のサブフレームの前の第１のサブフレームをＣＳＩ報告に用いる参照リソースとして選ぶステップを含む方法。
【請求項１１】
前記ＵＥは、前記第２のサブフレームがプライマリセル（ＰＣｅｌｌ）にあるダウンリンク（ＤＬ）サブフレームまたはダウンリンク部分がしきい値以上の特定のサブフレームである場合、サブフレームをＣＳＩ報告に用いる参照リソースとしてみなす請求項１０に記載の方法。
【請求項１２】
少なくとも２つの集約されたキャリアは、異なるＵＬ−ＤＬ構成を有する請求項１０に記載の方法。
【請求項１３】
前記ＵＥは、同時に送受信できない請求項３に記載の方法。
【請求項１４】
無線通信システムのチャネル状態情報（ＣＳＩ）測定を改善する通信装置であって、前記通信装置は、
制御回路、
前記制御回路に設置されたプロセッサ、および
前記制御回路に設置され、前記プロセッサに動作可能に結合されたメモリを含み、
前記プロセッサは、メモリに保存されたプログラムコードを実行するように構成され、
セカンダリセル（ＳＣｅｌｌ）にあるチャネル状態情報（ＣＳＩ）報告の参照リソースとなる、プライマリセル（ＰＣｅｌｌ）にあるダウンリンク（ＤＬ）サブフレームまたはダウンリンク部分がしきい値以上の特定のサブフレームでないサブフレームを選び、且つ
前記ＣＳＩ報告の処理を実行することによって、無線通信システムのＣＳＩ測定を改善する通信装置。
【請求項１５】
前記処理は、参照リソースとなる第２のサブフレームを選ぶ請求項１に記載の通信装置。
【請求項１６】
無線通信システムのチャネル状態情報（ＣＳＩ）測定を改善する通信装置であって、前記通信装置は、
制御回路、
前記制御回路に設置されたプロセッサ、および
前記制御回路に設置され、前記プロセッサに動作可能に結合されたメモリを含み、
前記プロセッサは、メモリに保存されたプログラムコードを実行するように構成され、
前記第２のサブフレームがプライマリセル（ＰＣｅｌｌ）にあるアップリンク（ＵＬ）サブフレームまたはダウンリンク部分がしきい値以下の特定のサブフレームである場合、セカンダリセル（ＳＣｅｌｌ）にある第２のサブフレームの前の第１のサブフレームをＣＳＩ報告に用いる参照リソースとして選ぶ通信装置。
【請求項１７】
前記プログラムコードは、前記サブフレームがプライマリセル（ＰＣｅｌｌ）にあるダウンリンク（ＤＬ）サブフレームまたはダウンリンク部分がしきい値以上の特定のサブフレームである場合、セカンダリセル（ＳＣｅｌｌ）にあるサブフレームをＣＳＩ報告に用いる参照リソースとして選ぶ請求項１６に記載の通信装置。
【請求項１８】
少なくとも２つの集約されたキャリアは、異なるＵＬ−ＤＬ構成を有する請求項１６に記載の通信装置。
【請求項１９】
前記ＵＥは、同時に送受信できない請求項１６に記載の通信装置。
【請求項２０】
前記ＵＥは、他の前のサブフレームを有効なダウンリンクサブフレームとして選ぶ請求項１６に記載の通信装置。
【請求項２１】
無線通信システムのチャネル状態情報（ＣＳＩ）測定を改善する通信装置であって、前記通信装置は、
制御回路、
前記制御回路に設置されたプロセッサ、および
前記制御回路に設置され、前記プロセッサに動作可能に結合されたメモリを含み、
前記プロセッサは、メモリに保存されたプログラムコードを実行するように構成され、
前記第２のサブフレームがプライマリセル（ＰＣｅｌｌ）にあるアップリンク（ＵＬ）サブフレームまたはダウンリンク部分がしきい値以下の特定のサブフレームである場合、セカンダリセル（ＳＣｅｌｌ）にある第２のサブフレームの前の第１のサブフレームをＣＳＩ報告に用いる参照リソースとして選ぶ通信装置。
【請求項２２】
前記プログラムコードは、前記サブフレームがプライマリセル（ＰＣｅｌｌ）にあるダウンリンク（ＤＬ）サブフレームまたはダウンリンク部分がしきい値以上の特定のサブフレームである場合、セカンダリセル（ＳＣｅｌｌ）にあるサブフレームをＣＳＩ報告に用いる参照リソースとしてみなす請求項２１に記載の通信装置。
【発明の詳細な説明】
【技術分野】
【０００１】
本発明は、無線通信ネットワークに関し、特に、無線通信システムのチャネル状態情報を測定する方法および装置に関するものである。
【背景技術】
【０００２】
移動通信装置上で、大量のデータを通信する需要の急増に伴い、従来の移動音声通信ネットワークは、インターネットプロトコル（ＩＰ）データパケットと通信するネットワークに発展している。このようなＩＰデータパケット通信は、移動通信装置のユーザーにボイスオーバーＩＰ、マルチメディア、マルチキャスト、およびオンデマンド通信サービスを提供することができる。
【０００３】
発展型ユニバーサル地上波無線アクセスネットワーク（Ｅ−ＵＴＲＡＮ）は常用のネットワーク構造である。Ｅ−ＵＴＲＡＮシステムは、高いデータスループットを提供し、上述のボイスオーバーＩＰおよびマルチメディアサービスを実現する。Ｅ−ＵＴＲＡＮシステムの標準化作業は、３ＧＰＰ規格組織により実行される。よって、３ＧＰＰ規格を進化させて完成させるために、３ＧＰＰ規格の最新組織への変化が、提示され、考慮されている。
【発明の概要】
【発明が解決しようとする課題】
【０００４】
無線通信システムのチャネル状態情報を測定する方法および装置を提供する。
【課題を解決するための手段】
【０００５】
無線通信システムのチャネル状態情報を測定する方法および装置が提供される。前記方法は、セカンダリセル（ＳＣｅｌｌ）にあるチャネル状態情報（ＣＳＩ）報告の参照リソースとなる、プライマリセル（ＰＣｅｌｌ）にあるダウンリンク（ＤＬ）サブフレームまたはダウンリンク部分がしきい値以上の特定のサブフレームでないサブフレームを選ぶステップを含む。前記方法は、処理を実行するステップを更に含む。
【図面の簡単な説明】
【０００６】
【図１】本発明の一実施形態によるマルチアクセス無線通信システムを示している。
【図２】例示的な実施形態に基づく、送信機システム（アクセスネットワークとしても知られている）および受信機システム（ユーザー端末またはＵＥとしても知られている）のブロック図である。
【図３】１つの例示的な実施形態に基づく、通信システムの機能ブロック図を示している。
【図４】１つの例示的な実施形態に基づく図３のプログラムコードの機能的なブロック図である。
【図５】ＳＣｅｌｌの有効なダウンリンクサブフレームとＰＣｅｌｌのアップリンクサブフレームとの間の可能な衝突を示す図である。
【図６】ＳＣｅｌｌの有効なダウンリンクサブフレームとＰＣｅｌｌの特定のサブフレームとの間の可能な衝突を示す図である。
【発明を実施するための形態】
【０００７】
以下に記述される例示的な無線通信システムおよび装置は、無線通信システムを用いて、放送サービス（ｂｒｏａｄｃａｓｔ  ｓｅｒｖｉｃｅ）をサポートしている。無線通信システムは幅広く展開されて、音声、データ等の各種のタイプの通信を提供する。これらのシステムは、符号分割多元接続（ｃｏｄｅ  ｄｉｖｉｓｉｏｎ  ｍｕｌｔｉｐｌｅ  ａｃｃｅｓｓ；  ＣＤＭＡ）、時分割多元接続（ｄｉｖｉｓｉｏｎ  ｍｕｌｔｉｐｌｅ  ａｃｃｅｓｓ；  ＴＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ；  ＯＦＤＭＡ）、３ＧＰＰ  ＬＴＥ（Ｌｏｎｇ  Ｔｅｒｍ  Ｅｖｏｌｕｔｉｏｎ）無線アクセス、３ＧＰＰ  ＬＴＥ−Ａ（Ｌｏｎｇ  Ｔｅｒｍ  Ｅｖｏｌｕｔｉｏｎ  Ａｄｖａｎｃｅｄ）、３ＧＰＰ２  ＵＭＢ（Ｕｌｔｒａ  Ｍｏｂｉｌｅ  Ｂｒｏａｄｂａｎｄ）、ＷｉＭａｘ、または別の変調技術に基づく。
【０００８】
特に、以下に記述される例示的な無線通信システムの装置は、一つ以上の規格、例えば、文献番号Ｒ1−１２４７７６，“Ｏｎ  Ｎｅｗ  Ｃａｒｒｉｅｒ  Ｔｙｐｅ”，ＲＰ−１２１４１５，“Ｎｅｗ  ＷＩ  ｐｒｏｐｏｓａｌ：  Ｎｅｗ  Ｃａｒｒｉｅｒ  Ｔｙｐｅ  ｆｏｒ  ＬＴＥ”，ＴＳ３６.２１１  Ｖ１１.１.０，“Ｅ−ＵＴＲＡ  Ｐｈｙｓｉｃａｌ  ｃｈａｎｎｅｌｓ  ａｎｄ  ｍｏｄｕｌａｔｉｏｎ”，  ＴＳ３６.２１３  Ｖ１１.１.０，“Ｅ−ＵＴＲＡ  Ｐｈｙｓｉｃａｌ  ｌａｙｅｒ  ｐｒｏｃｅｄｕｒｅｓ”，Ｒ１−１２４７１７，“Ｏｎ  ｃｏｌｌｉｓｉｏｎ  ｂｅｔｗｅｅｎ  ＤＭ  ＲＳ  ａｎｄ  ＰＳＳ／ＳＳＳ  ｉｎ  ｎｅｗ  ｃａｒｒｉｅｒ”により制定される規格をサポートするように設計されている。上述の規格と文献は参照によりその全体が本明細書に組み入れられる。
【０００９】
図１は、本発明の一実施形態によるマルチアクセス無線通信システムを示している。アクセスネットワーク１００（ＡＮ）は、複数のアンテナ群を含み、１つは１０４と１０６の群、もう１つは１０８と１１０の群、またもう１つは１１２と１１４の群を含む。図１では、各アンテナ群は、２つのアンテナだけが示されているが、２つ以上のアンテナが各アンテナ群に用いられてもよい。アクセス端子１１６（ａｃｃｅｓｓ  ｔｅｒｍｉｎａｌ；  ＡＴ）は、アンテナ１１２と１１４と通信し、アンテナ１１２と１１４は、順方向リンク（ｆｏｒｗａｒｄ  ｌｉｎｋ）１２０によって、情報をアクセス端子１１６に送信し、逆方向リンク（ｒｅｖｅｒｓｅ  ｌｉｎｋ）１１８によって、アクセス端子１１６から情報を受信する。アクセス端子（ＡＴ）１２２はアンテナ１０６と１０８と通信し、アンテナ１０６と１０８は、順方向リンク１２６によって、情報をアクセス端子（ＡＴ）１２２に送信し、逆方向リンク１２４によって、アクセス端子（ＡＴ）１２２から情報を受信する。周波数分割複信（Ｆｒｅｑｕｅｎｃｙ  ｄｉｖｉｓｉｏｎ  ｄｕｐｌｅｘｉｎｇ；  ＦＤＤ）システムでは、通信リンク１１８、１２０、１２４および１２６は異なる周波数を用いて通信する。例えば、順方向リンク１２０は、逆方向リンク１１８で用いられる周波数と異なる周波数を用いてもよい。
【００１０】
各アンテナ群および/または通信のために設計される領域は、通常、アクセスネットワークのセクター（ｓｅｃｔｏｒ）と称される。実施形態では、各アンテナ群は、アクセスネットワーク１００でカバーされた領域のセクターのアクセス端子と通信するように設計されている。
【００１１】
順方向リンク１２０と１２６による通信では、アクセスネットワーク１００の送信アンテナは、異なるアクセス端子１１６と１２２の順方向リンクの信号対雑音比（ｓｉｇｎａｌ−ｔｏ−ｎｏｉｓｅ  ｒａｔｉｏ）を改善するためにビーム形成（ｂｅａｍｆｏｒｍｉｎｇ）を用いることができる。また、ビーム形成を用いて、その受信範囲にランダムに散乱したアクセス端子に送信するアクセスネットワークは、単一のアンテナによって、全てのそのアクセス端子に送信するアクセスネットワークよりも、隣接セルのアクセス端子への干渉が少ない。
【００１２】
アクセスネットワーク（ＡＮ）は、端子と通信するのに用いられる固定局（ｆｉｘｅｄ  ｓｔａｔｉｏｎ）または基地局（ｂａｓｅ  ｓｔａｔｉｏｎ）であり、アクセスポイント（ａｃｃｅｓｓ  ｐｏｉｎｔ）、Ｎｏｄｅ  Ｂ、基地局、拡張基地局、ｅＮＢ、または他の用語で呼ばれてもよい。アクセス端子（ＡＴ）は、ユーザー端末（ＵＥ）、無線通信装置、端子、アクセス端子、または他の用語で呼ばれてもよい。
【００１３】
図２は、ＭＩＭＯシステム２００の送信機システム２１０（アクセスネットワークとしても知られている）および受信機システム２５０（アクセス端子（ＡＴ）またはユーザー端末（ＵＥ）としても知られている）の実施形態の簡略ブロック図である。送信機システム２１０では、データストリームのトラフィックデータがデータソース２１２から送信（ＴＸ）データプロセッサ２１４に提供される。
【００１４】
１つの実施形態では、各データストリームは、各々の送信アンテナを介して送信される。ＴＸデータプロセッサ２１４は、そのデータストリーム用に選択された特定の符号化方式に基づき、各データストリームのトラフィックデータをフォーマット（ｆｏｒｍａｔ）、符号化（ｃｏｄｅ）およびインターリーブ（ｉｎｔｅｒｌｅａｖｅ）し、符号化データを提供する。
【００１５】
各データストリームの符号化データは、ＯＦＤＭ  技術を用いて、パイロットデータ（ｐｉｌｏｔ  ｄａｔａ）と多重化される。パイロットデータは、一般に、既知の方法で処理された既知のデータパターンであり、受信機システムで用いられて、チャネル応答を推定する。次いで、各データストリームの多重化パイロットと符号化データは、そのデータストリーム用に選択された特定の変調方式（ＢＰＳＫ、ＱＰＳＫ、Ｍ−ＰＳＫまたはＭ−ＱＡＭ）に基づき、変調され（即ち、シンボルマッピングされた）、変調シンボルを提供する。各データストリームのデータレート（ｄａｔａ  ｒａｔｅ）、符号化、および変調は、プロセッサ２３０により実行される指示によって決められる。
【００１６】
次いで、全てのデータストリームの変調シンボルは、ＴＸ  ＭＩＭＯプロセッサ２２０に提供され、更に変調シンボルを続けて処理する（例えば、ＯＦＤＭを用いて）。次いで、ＴＸ  ＭＩＭＯプロセッサ２２０は、ＮＴ変調シンボルストリームをＮＴ送信機（ＴＭＴＲ）２２２ａ〜２２２ｔに提供する。ある実施形態では、ＴＸ  ＭＩＭＯプロセッサ２２０は、ビームフォーミングの重みをデータストリームのシンボルおよびシンボルが送信されているアンテナに提供する。
【００１７】
各送信機２２２は、各々のシンボルストリームを受信して処理し、一つ以上のアナログ信号を提供し、アナログ信号をさらに調節（例えば、増幅（ａｍｐｌｉｆｉｅｓ）、フィルタリング（ｆｉｌｔｅｒ）、およびアップコンバート（ｕｐｃｏｎｖｅｒｔ））して、ＭＩＭＯチャネルを介して送信されるのに好適な変調信号を提供する。次いで、送信機２２２ａ〜２２２ｔからのＮＴ変調信号は、それぞれＮＴアンテナ２２４ａ〜２２４ｔから送信される。
【００１８】
受信機システム２５０では、送信された変調信号はＮＲアンテナ２５２ａ〜２５２ｒによって受信され、各アンテナ２５２から受信された信号は各々の受信機（ＲＣＶＲ）２５４ａ〜２５４ｒに提供される。各受信機２５４は、各々の受信信号を調節（例えば、フィルタリング、増幅、およびダウンコンバート）し、調節した信号をデジタル化して、サンプルを提供し、サンプルを更に処理して、対応する“受信”シンボルストリームを提供する。
【００１９】
次いで、ＲＸデータプロセッサ２６０は、特定の受信処理技術に基づき、ＮＲ受信機２５４からＮＲ受信シンボルストリームを受信して処理し、ＮＴ“検出”シンボルストリームを提供する。次いで、ＲＸデータプロセッサ２６０は、各検出シンボルストリームを復調（ｄｅｍｏｄｕｌａｔｅ）、デインターリーブ（ｄｅｉｎｔｅｒｌｅａｖｅ）および復号（ｄｅｃｏｄｅ）して、データストリームのトラフィックデータを復元する。ＲＸデータプロセッサ２６０による処理は、送信機システム２１０にあるＴＸ  ＭＩＭＯプロセッサ２２０およびＴＸデータプロセッサ２１４によって実行される処理と相補される。
【００２０】
プロセッサ２７０は、どのプリコーディングマトリクス（ｐｒｅ−ｃｏｄｉｎｇ  ｍａｔｒｉｘ）を用いるかを周期的に決める（後述される）。プロセッサ２７０は、マトリクスインデックス（ｍａｔｒｉｘ  ｉｎｄｅｘ）部分およびランク値（ｒａｎｋ  ｖａｌｕｅ）部分を含む逆方向リンクメッセージを公式化する。
【００２１】
逆方向リンクメッセージは、通信リンクおよび／または受信データストリームに関する各種の情報を含む。次いで、逆方向リンクメッセージは、ＴＸデータプロセッサ２３８によって処理され、データソース２３６からの複数のデータストリーム用のトラフィックデータも受信し、変調器２８０によって変調され、送信機２５４ａ〜２５４ｒによって調節され、送信機システム２１０に送信される。
【００２２】
送信機システム２１０では、受信機システム２５０からの変調信号がアンテナ２２４によって受信され、受信機２２２によって調節され、復調器２４０により復調され、ＲＸデータプロセッサ２４２によって処理されて、受信機システム２５０によって送信された逆方向リンクメッセージを抽出する。次いで、プロセッサ２３０は、どのプレコーディングマトリクスを用いて、ビームフォーミングの重みを決めて、抽出されたメッセージを処理するか決める。
【００２３】
図３は、本発明の１つの実施形態に基づく、通信装置の代替の簡略化された機能ブロック図を示している。図３に示されるように、無線通信システムの通信装置３００は、図１のＵＥ（またはＡＴ）１１６と１２２の実現に用いられ、無線通信システムは、ＬＴＥシステムであることが望ましい。通信装置３００は、入力装置３０２、出力装置３０４、制御回路３０６、中央処理装置（ＣＰＵ）３０８、メモリ３１０、プログラムコード３１２、およびトランシーバー３１４を含む。制御回路３０６は、ＣＰＵ３０８により、メモリ３１０のプログラムコード３１２を実行し、これにより、通信装置３００の動作を制御する。通信装置３００は、例えば、キーボードまたはキーパッドなどの入力装置３０２を通じて、ユーザーにより入力された信号を受信し、例えば、モニタまたはスピーカーなどの出力装置３０４によって、イメージと音声を出力することができる。トランシーバー３１４は、無線信号を送受信し、受信した信号を制御回路３０６に送信し、制御回路３０６によって生成された信号を無線で出力するのに用いられる。
【００２４】
図４は、本発明の１つの実施形態に基づく図３に示されたプログラムコード３１２の簡略化されたブロック図である。この実施形態では、プログラムコード３１２は、アプリケーション層（ａｐｐｌｉｃａｔｉｏｎ  ｌａｙｅｒ）４００、層３部分４０２、層２部分４０４を含み、層１部分４０６に結合される。層３部分４０２は、一般に、無線リソース制御を実行する。層２部分４０４は、一般に、リンク制御を実行する。層１部分４０６は、一般に、物理的接続を実行する。
【００２５】
ＬＴＥまたはＬＴＥ−Ａシステムでは、層２部分は、無線リンク制御（ＲＬＣ）層および媒体アクセス制御（ＭＡＣ）層を含むことができる。層３部分は、無線リソース制御（ＲＲＣ）層を含むことができる。
【００２６】
３ＧＰＰに基づき、ＵＥは、ＴＳ３６.２１３  Ｖ１１.１.０の定義に基づき、チャネル状態情報（ＣＳＩ）測定を行う。基本的には、参照リソース（ｒｅｆｅｒｅｎｃｅ  ｒｅｓｏｕｒｃｅ）は、ＣＳＩ報告（ｒｅｐｏｒｔｉｎｇ）のサブフレームの前のいくつかのサブフレームであり、ＵＥが以下のＣＳＩ報告の内容を取得するのに十分な処理時間があるようにするサブフレームである。
サービングセルのＣＳＩ参照リソースは、以下のように定義される：
−周波数ドメインでは、ＣＳＩ参照リソースは、取得されたＣＱＩ値と関連するバンドに対応するダウンリンク物理リソースブロック群によって定義される
−時間領域では、
○サービングセル用の単一構成のＣＳＩプロセスで伝送モード１−９または伝送モード１０に構成されるＵＥでは、ＣＳＩ参照プロセスは、単一のダウンリンクサブフレームn-nCQI_refによって定義される
■周期ＣＳＩ報告nCQI_refが４以上の最小値である場合、有効なダウンリンクサブフレームに対応する
■非周期ＣＳＩ報告nCQI_refの場合、参照リソースは、アップリンクＤＣＩフォーマットの対応のＣＳＩ要求となる同じ有効なダウンリンクサブフレームにある
■非周期ＣＳＩ報告nCQI_refが４と等しく、且つダウンリンクサブフレームn-nCQI_refが有効なダウンリンクサブフレームと対応する場合、ダウンリンクサブフレームn-nCQI_refは、ランダムアクセスレスポンスグラントの対応のＣＳＩ要求を有するサブフレームの後に受け取られる
○サービングセル用の複数構成のＣＳＩプロセスで伝送モード１０に構成されるＵＥでは、ＣＳＩ参照プロセスは、単一のダウンリンクサブフレームn-nCQI_refによって定義される
■ＦＤＤおよび周期または非周期ＣＳＩ報告nCQI_refが５以上の最小値である場合、有効なダウンリンクサブフレームに対応する
■ＦＤＤおよび非周期ＣＳＩ報告nCQI_refが５と等しく、且つダウンリンクサブフレームn-nCQI_refが有効なダウンリンクサブフレームと対応する場合、ダウンリンクサブフレームn-nCQI_refは、ランダムアクセスレスポンスグラントの対応のＣＳＩ要求を有するサブフレームの後に受信される
■ＴＤＤ、および２つまたは３つの構成されたＣＳＩプロセス、および周期または非周期ＣＳＩ報告nCQI_refが４以上の最小値である場合、有効なダウンリンクサブフレームに対応する
■ＴＤＤ、および２つまたは３つの構成されたＣＳＩプロセス、および非周期ＣＳＩ報告nCQI_refが４と等しく、且つダウンリンクサブフレームn-nCQI_refが有効なダウンリンクサブフレームと対応する場合、ダウンリンクサブフレームn-nCQI_refは、ランダムアクセスレスポンスグラントの対応のＣＳＩ要求を有するサブフレームの後に受信される
■ＴＤＤ、および４つの構成されたＣＳＩプロセス、および周期または非周期ＣＳＩ報告nCQI_refが５以上の最小値である場合、有効なダウンリンクサブフレームに対応する
■ＴＤＤ、および４つの構成されたＣＳＩプロセス、および非周期ＣＳＩ報告nCQI_refが５と等しく、且つダウンリンクサブフレームn-nCQI_refが有効なダウンリンクサブフレームと対応する場合、ダウンリンクサブフレームn-nCQI_refは、ランダムアクセスレスポンスグラントの対応のＣＳＩ要求を有するサブフレームの後に受信される
【００２７】
上述のように、参照リソースは、有効なダウンリンクサブフレームに基づくべきであり、その定義は以下のとおりである：
サービングセルのダウンリンクサブフレームは、
■ＵＥのダウンリンクサブフレームとして構成される、且つ
■伝送モード９または１０以外、ＭＢＳＦＮサブフレームでない、且つ
■ダウンリンクパイロットタイムスロット（ＤｗＰＴＳ）の長さが７６８０・Ｔｓ、またはそれ以下の場合、ＤｗＰＴＳを含まない、且つ
■ＵＥの構成された測定間隙内にない、且つ
■周期ＣＳＩ報告の場合、ＵＥがＣＳＩサブフレームセットで構成された時、周期ＣＳＩ報告にリンクされるＣＳＩサブフレームセットの要素である、且つ
■複数の構成されたＣＳＩプロセス、およびＣＳＩプロセスの非周期ＣＳＩ報告を有する伝送モード１０で構成されたＵＥの場合、ＵＥがＣＳＩプロセスのＣＳＩサブフレームセットで構成された時、それは、アップリンクＤＣＩフォーマットにある対応のＣＳＩ要求を有するダウンリンクサブフレームにリンクされたＣＳＩサブフレームセットの要素である、
場合、有効とみなされる。サービングセルにＣＳＩ参照リソースの有効なダウンリンクサブフレームがない場合、ＣＳＩ報告は、アップリンクサブフレームｎでサービングセル用に省略される。
【００２８】
リリース１１の３ＧＰＰ  ＴＳ３６.２１３  Ｖ１１.１.０に基づき、異なるアップリンク（ＵＬ）／ダウンリンク（ＤＬ）構成を有する時分割多重（ＴＤＤ）キャリアアグリゲーション（ＣＡ）が導入される。また、また、３ＧＰＰ  ＴＳ２６.２１１に開示されるように、集約されたセルで送受信できないＴＤＤのＵＥの場合、
●異なるバンドと半二重ＵＥで異なるＵＬ−ＤＬ構成を有するＴＤＤバンド間ＣＡでは、ＳｃｅｌｌのサブフレームのタイプがＰｃｅｌｌのサブフレームのタイプと異なる場合、正常なＵＥ挙動が以下の制定に課せられる：
●Ｐｃｅｌｌにある“Ｄ”とＳｃｅｌｌにある“Ｕ”を有するサブフレームでは、ＵＥは、Ｓｃｅｌｌでどのシグナル／チャネルも送信しないと見込まれる
●Ｐｃｅｌｌにある“Ｕ”とＳｃｅｌｌにある“Ｄ”を有するサブフレームでは、ＵＥは、Ｓｃｅｌｌでどのシグナル／チャネルも受信しないと見込まれる。
●Ｐｃｅｌｌにある“Ｄ”とＳｃｅｌｌにある“Ｓ”を有するサブフレームでは、ＵＥは、ＳｃｅｌｌでＵｐＰＴＳのどのシグナル／チャネルも送信すると見込まれる
●Ｐｃｅｌｌにある“Ｓ”とＳｃｅｌｌにある“Ｄ”を有するサブフレームでは、ＵＥは、ＳｃｅｌｌでＰＤＳＣＨ／ＥＰＤＣＣＨ／ＰＭＣＨ／ＰＲＳを受信しないと見込まれる；  また、ＵＥは、Ｓｃｅｌｌで、ガード期間および／またはＰＣｅｌｌのＵｐＰＴＳと重なるＯＦＤＭシンボルのどの他の信号も受信しないと見込まれる
【００２９】
異なるアップリンク−ダウンリンク構成を有する複数のセルが集約され、且つＵＥが集約されたセル内で同時に送受信することができない場合、以下の制定に課せられる：
−プライマリセルのサブフレームがダウンリンクサブフレームの場合、ＵＥは、同一サブフレームのセカンダリセルにどの信号またはチャネルも送信しない
−プライマリセルのサブフレームがアップリンクサブフレームの場合、ＵＥは、同一サブフレームのセカンダリセルにどのダウンリンク伝送も受信しないと見込まれる
−プライマリセルのサブフレームが特定のサブフレームで、セカンダリセルの同一サブフレームがダウンリンクサブフレームの場合、ＵＥは、同一サブフレームのセカンダリセルでＰＤＳＣＨ／ＥＰＤＣＣＨ／ＰＭＣＨ／ＰＲＳを受信しないと見込まれ、且つＵＥは、ガード期間および／またはプライマリセルのＵｐＰＴＳと重なるＯＦＤＭシンボルのセカンダリセルでどの他の信号も受信しないと見込まれる
【００３０】
同時に送受信できないＴＤＤバンド間ＣＡの半二重ＵＥでは、セカンダリセル（ＳＣｅｌｌ）にダウンリンク（ＤＬ）のサブフレームｎがあり、且つＳＣｅｌｌの周期ＣＳＩ報告が４つのサブフレームの後に報告される場合、ＤＬサブフレームｎは、有効なダウンリンクサブフレーム、および対応のＣＳＩ報告の参照リソースとしてもみなされることができる。プライマリセル（ＳＣｅｌｌ）とＳＣｅｌｌのダウンリンク（ＤＬ）構成のある組み合わせにおいて、サブフレームｎは、ＰＣｅｌｌのＵＬサブフレームであることができる。よって、ＵＥは、有効なダウンリンクサブフレームとなるチャネル／シグナルを受信しないと見込まれるサブフレームとみなす可能性がある。この場合、報告は、ＵＥ  測定を行うことができないまたは誤作動が起こり得る可能性があるサブフレームに基づくため、ＵＥは、無効な情報を有するＣＳＩを報告する。一方、発展型ノードＢ（ｅＮＢ）は、ＵＥからのＣＳＩ報告を誤解し、誤ったスケジューリングの決定もする。可能な例が図５と図６に示される。注意するのは、図６は、有効なダウンリンクサブフレームの後の２つのサブフレームが対応のＣＳＩサブフレームセットの要素でない可能性を表している。
【００３１】
各種の実施形態に応じて、サブフレームがＳＣｅｌｌでＣＳＩ報告の参照リソースとしてみなされた時、例えば上述の条件に基づき、サブフレームがＤＬサブフレーム（例えば、ＰＣｅｌｌにある特定のサブフレームまたはＵＬサブフレーム）でない場合、処理を行う。具体的には、特定のサブフレームのＤＬ部分は、しきい値以下である。処理の非限定的例は、他のサブフレームが参照リソースとしてみなされる。処理のもう１つの例は、ＣＳＩ報告が省略される。例えば、ＵＥは、ＣＳＩ報告を飛ばす、または送信しない。処理のまたもう１つの例は、ＣＳＩ報告は、特定値を含む。
【００３２】
１つの実施例では、同時に送受信できないＵＥでは、基準が満たされる場合、ＳＣｅｌｌにあるダウンリンクサブフレームは、有効なダウンリンクサブフレームとしてみなされない。基準の１つの例は、同一サブフレームのＰＣｅｌｌにあるＵＬサブフレームであることである。基準のもう１つの例は、同一サブフレームのＰＣｅｌｌにある特定のサブフレームであることである。１つの実施形態では、特定のサブフレームのＤＬ部分は、しきい値以下である。具体的には、ダウンリンクサブフレームは、上述の基準が満たされない場合、有効なダウンリンクサブフレームとしてみなされることができ、例えば、それは、同一サブフレームのＰＣｅｌｌにあるＤＬサブフレーム、またはダウンリンク部分がしきい値以上の特定のサブフレームである。注意するのは、ダウンリンクサブフレームが有効なダウンリンクサブフレームとしてみなされても、例えば、ＵＥの構成された測定間隙内にない上述の他の条件に応じる可能性がある。
【００３３】
もう１つの実施例では、同時に送受信できないＵＥでは、第２のサブフレームの前の第１のサブフレームは、基準が満たされる場合、ＳＣｅｌｌにあるＣＳＩ報告の参照リソースとしてみなされる。基準の１つの例は、第２のサブフレームのＰＣｅｌｌにあるＵＬサブフレームであることである。基準のもう１つの例は、第２のサブフレームのＰＣｅｌｌにある特定のサブフレームであることである。１つの実施形態では、特定のサブフレームのＤＬ部分は、しきい値以下である。
【００３４】
またもう１つの実施形態では、ＵＥは、基準が満たされる場合、ＳＣｅｌｌに動作を実行する。この動作は、報告を省略する、報告を送信しない、報告を飛ばす、またはＣＳＩ報告の内容を特定値に設定することができる。特定値は、固定値または所定値である。この実施形態では、基準の１つの例は、同一サブフレームのＰＣｅｌｌにあるＵＬサブフレームがＣＳＩ報告の対応の参照リソースとなることである。この実施形態では、基準のもう１つの例は、同一サブフレームのＰＣｅｌｌにある特定のサブフレームがＣＳＩ報告の対応の参照リソースとなることである。１つの実施形態では、特定のサブフレームのＤＬ部分は、しきい値以下である。
【００３５】
もう１つの実施形態では、ｅＮＢは、基準が満たされる場合、いくつかのサブフレームをＣＳＩ報告のサブフレームとして構成することができない。この実施形態では、基準はサブフレームが参照リソースとなり、ＣＳＩ報告の参照リソースの同じサブフレームでは、ＰＣｅｌｌにあるＵＬサブフレームである。基準のもう１つの例は、サブフレームが基準リソースとなり、ＣＳＩ報告の参照リソースの同一サブフレームでは、ＰＣｅｌｌにある特定のサブフレームである。１つの実施形態では、特定のサブフレームのＤＬ部分は、しきい値以下である。
【００３６】
上述の実施形態は、同時に送受信できないＵＥを述べており、同時に送受信できるＵＥにも用いられることできる。
【００３７】
上述のＣＳＩ報告は、非周期ＣＳＩ報告または周期ＣＳＩ報告の１つまたは任意の組み合わせを指すことができる。
【００３８】
以下は、１つの例示的な実施形態である：
サービングセルのダウンリンクサブフレームは、
■ＵＥのダウンリンクサブフレームとして構成される、且つ
■異なるアップリンク−ダウンリンク構成を有する複数のセルが集約され、且つＵＥが集約されたセル内で同時に送受信することができない場合、プライマリセルのサブフレームは、アップリンクサブフレームでなければ、ＤｗＰＴＳの長さが７６８０・Ｔｓ、またはそれ以下の特定のサブフレームでもない
■伝送モード９または１０以外、ＭＢＳＦＮサブフレームでない、且つ
■ダウンリンクパイロットタイムスロット（ＤｗＰＴＳ）の長さが７６８０・Ｔｓ、またはそれ以下の場合、ＤｗＰＴＳを含まない、且つ
■ＵＥの構成された測定間隙内にない、且つ
■周期ＣＳＩ報告の場合、ＵＥがＣＳＩサブフレームセットで構成された時、周期ＣＳＩ報告にリンクされるＣＳＩサブフレームセットの要素である、且つ
■複数の構成されたＣＳＩプロセス、およびＣＳＩプロセスの非周期ＣＳＩ報告を有する伝送モード１０で構成されたＵＥの場合、ＵＥがＣＳＩプロセスのＣＳＩサブフレームセットで構成された時、それは、アップリンクＤＣＩフォーマットにある対応のＣＳＩ要求を有するダウンリンクサブフレームにリンクされたＣＳＩサブフレームセットの要素である、
場合、有効とみなされる。サービングセルにＣＳＩ参照リソースの有効なダウンリンクサブフレームがない場合、ＣＳＩ報告は、アップリンクサブフレームｎでサービングセル用に省略される。
【００３９】
以下は、もう１つの例示的な実施形態である：
サービングセルのダウンリンクサブフレームは、
■ＵＥのダウンリンクサブフレームとして構成される、且つ
■伝送モード９または１０以外、ＭＢＳＦＮサブフレームでない、且つ
■ダウンリンクパイロットタイムスロット（ＤｗＰＴＳ）の長さが７６８０・Ｔｓ、またはそれ以下の場合、ＤｗＰＴＳを含まない、且つ
■ＵＥの構成された測定間隙内にない、且つ
■周期ＣＳＩ報告の場合、ＵＥがＣＳＩサブフレームセットで構成された時、周期ＣＳＩ報告にリンクされるＣＳＩサブフレームセットの要素である、且つ
■複数の構成されたＣＳＩプロセス、およびＣＳＩプロセスの非周期ＣＳＩ報告を有する伝送モード１０で構成されたＵＥの場合、ＵＥがＣＳＩプロセスのＣＳＩサブフレームセットで構成された時、それは、アップリンクＤＣＩフォーマットにある対応のＣＳＩ要求を有するダウンリンクサブフレームにリンクされたＣＳＩサブフレームセットの要素である、
場合、有効とみなされる。サービングセルにＣＳＩ参照リソースの有効なダウンリンクサブフレームがない場合、ＣＳＩ報告は、アップリンクサブフレームｎでサービングセル用に省略される。異なるアップリンク−ダウンリンク構成を有する複数のセルが集約され、且つＵＥが集約されたセル内で同時に送受信することができない場合、プライマリセルのサブフレームは、アップリンクサブフレームか、またはＤｗＰＴＳの長さが７６８０・Ｔｓ、あるいはそれ以下の特定のサブフレームであり、ＣＳＩ報告は、アップリンクサブフレームｎでサービングセル用に省略される。
【００４０】
図３と図４に示されるように、装置３００は、メモリ３１０に保存されたプログラムコード３１２を含む。１つの実施形態では、ＣＰＵ３０８は、プログラムコード３１２を実行して、以下の１つ以上を実行する：（ｉ）セカンダリセル（ＳＣｅｌｌ）にあるチャネル状態情報（ＣＳＩ）報告の参照リソースとなる、プライマリセル（ＰＣｅｌｌ）にあるダウンリンク（ＤＬ）サブフレームまたはダウンリンク部分がしきい値以上の特定のサブフレームでないサブフレームを選び、（ｉｉ）処理を実行する。
【００４１】
また、ＣＰＵ３０８は、プログラムコード３１２を実行して、上述の全ての動作およびステップを実行することができる。
【００４２】
この開示の種々の態様は上記に記述されている。ここでの教示が種々様々の形式で具体化されてもよいこと、および、ここに開示されている任意の特定の構造、機能または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造および機能性を用いて実行されてもよい。上記の概念のうちのいくつかの例として、いくつかの態様では、同時チャネルはパルス繰返周波数に基づいて確立されてもよい。ある態様では、同時チャネルはパルス位置またはオフセットに基づいて確立されてもよい。ある態様では、同時チャネルは時間ホッピングシーケンスに基づいて確立されてもよい。ある態様では、同時チャネルは、パルス繰返周波数、パルス位置またはオフセット、および時間ホッピングシーケンスに基づいて確立されてもよい。
【００４３】
情報および信号は、様々な異なる技術および技法のうちのいずれかを使用して表され得ることを当業者は理解するであろう。例えば、以上の説明の至るところで参照され得るデータ、命令、コマンド、情報、信号、ビット、記号、およびチップは、電圧、電流、電磁波、磁場もしくは磁性粒子、光場もしくは光粒子、またはそれらの任意の組み合わせによって表され得る。
【００４４】
当業者は、種々の例示的な論理ブロック、モジュール、プロセッサ、手段、回路、およびここで開示された態様に関連して記述されたアルゴリズムステップが電子ハードウェア（例えば、デジタル実装、アナログ実装またはソースコーディングまたは他のいくつかの技術を用いて設計されてもよい２つの組み合わせ）、命令を取り込むプログラムまたは設計コードの種々の形式（ここでは便宜上、「ソフトウェア」または「ソフトウェアモジュール」と呼ぶ）、または、この両方の組み合わせとして実装されてもよいことをさらに認識するだろう。ハードウェアおよびソフトウェアのこの交換可能性を明瞭に例示するために、様々な例示的な要素、ブロック、モジュール、回路、およびステップが、一般的に、それらの機能性に関して記述されている。かかる機能性がハードウェアまたはソフトウェアとして実装されるかどうかは、システム全体に課せられた特定の応用および設計制約に依存する。当業者は、記述された機能性を、それぞれの特定の応用に関して様々な方法で実装してもよいが、かかる実装決定は、本開示範囲からの逸脱を引き起こすと解釈されるべきではない。
【００４５】
ここで開示された態様に関連して記述される種々の例示の論理ブロック、モジュール、および回路は、集積回路（「ＩＣ」）内に実装されてもよいし、ＩＣによって実行されてもよい。ＩＣは、汎用プロセッサ、デジタル信号プロセッサ（ＤＳＰ）、徳定用途向け集積回路（ＡＳＩＣ）、フィールドプログラマブルゲートアレイ（ＦＰＧＡ）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またＩＣ内部、ＩＣ外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、ＤＳＰとマイクロプロセッサの組み合わせ、複数のマイクロプロセッサ、ＤＳＰコアと連動する１以上のマイクロプロセッサ、または任意の他のそのような構成）として実装されてもよい。
【００４６】
ここで開示されるプロセスのあらゆる特定の順序または分層の工程は例のアプローチである。デザイン嗜好に基づくと、理解できることは、本プロセスにおける特定の順序または分層の工程は、本発明の範囲内で再構成される。付随する方法は、例の順序で各種工程の素子の提示を要求し、提示される特定の順序または分層に制限されることを意味するのではない。
【００４７】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えば符号）を記憶媒体から読み出し、記憶媒体へ書き込みすることができる。サンプル記憶媒体はプロセッサに不可欠かもしれない。プロセッサ及び記憶媒体はＡＳＩＣ内に存在してもよい。ＡＳＩＣはユーザー機器に存在してもよい。代替案では、プロセッサと記憶媒体はユーザー機器において個別部品として存在してもよい。さらに、いくつかの態様では、いずれか適切なコンピュータプログラム製品も、この開示の態様の１つ以上に関連する符号を具備するコンピュータ読取可能媒体を具備してもよい。ある態様では、コンピュータプログラム製品は包装材料を具備してもよい。
【００４８】
この発明は種々の態様に関連して記述されているが、この発明がさらなる変更ができることは理解される。本用途は、本発明の一般的な原理を用いて、本発明の任意の変形、使用または改造を含むことが意図される。さらに、本用途は、本発明が属する分野において公知の、または慣例的実施の範囲内に入るような本開示からの逸脱を含むことが意図される。
【符号の説明】
【００４９】
１００  アクセスネットワーク
１０４、１０６、１０８、１１０、１１２、１１４  アンテナ
１１６、１２２  アクセス端子
１１８、１２４  逆方向リンク
１２０、１２６  順方向リンク
２１０  送信機システム
２１２、２３６  データソース
２１４、２３８  データプロセッサ
２２０  ＴＸ  ＭＩＭＯプロセッサ
２２２ａ〜２２２ｔ、３１４  送信機
２５４ａ〜２５４ｒ  受信機
２２４ａ〜２２４ｔ、２５２ａ〜２５２ｒ  アンテナ
２３０、２７０  プロセッサ
２３２、２７２  メモリ
２４２、２６０  ＲＸデータプロセッサ
２４０  復調器
２５０  受信機システム
２８０  変調器
３００  通信装置
３０２  入力装置
３０４  出力装置
３０６  制御回路
３０８  中央処理装置（ＣＰＵ）
３１０  メモリ
３１２  プログラムコード
３１４  トランシーバー
４００  アプリケーション層
４０２  層３部分  
４０４  層２部分
４０６  層１部分
【図１】
2014143685.tif 000003
【図２】
2014143685.tif 000004
【図３】
2014143685.tif 000005
【図４】
2014143685.tif 000006
【図５】
2014143685.tif 000007
【図６】
2014143685.tif 000008
【外国語明細書】
2014143685000001.pdf